(57)【要約】【課題】モデリング発光させるための操作部材の操作方法を照明装置の光源の種類に応じて切り換えることで、モデリング発光させるための操作部材の操作性を高めることができる撮像装置を提供する。【解決手段】撮像装置のＭＰＵ１００は、照明装置４４が装着された際に、該照明装置４４の光源５１の種類を検知し、照明装置４４をモデリング発光させるための絞り込み操作部材４６の操作方法を前記検知した光源５１の種類に応じた操作方法に切り換える。【選択図】図４
2009300668.tif 000002
【特許請求の範囲】
【請求項１】
照明装置が着脱可能に装着される撮像装置において、
前記照明装置が装着された際に、該照明装置の光源の種類を検知する検知手段と、
前記照明装置をモデリング発光させるための操作部材の操作方法を前記検知手段で検知された前記光源の種類に応じた操作方法に切り換える制御手段と、を備えることを特徴とする撮像装置。
【請求項２】
前記光源の種類は、キセノン管又はＬＥＤであることを特徴とする請求項１に記載の撮像装置。
【請求項３】
前記操作部材は、撮影レンズの絞り込み操作部材又はライブビュー操作部材であることを特徴とする請求項１又は２に記載の撮像装置。
【請求項４】
照明装置が着脱可能に装着される撮像装置の制御方法において、
前記照明装置が装着された際に、該照明装置の光源の種類を検知する検知ステップと、
前記照明装置をモデリング発光させるための操作部材の操作方法を前記検知ステップで検知された前記光源の種類に応じた操作方法に切り換える制御ステップと、を備えることを特徴とする撮像装置の制御方法。
【発明の詳細な説明】
【技術分野】
【０００１】
本発明は、照明装置が着脱可能に装着される撮像装置に関し、特にストロボ撮影時においてモデリング発光を行うことができる撮像装置に関する。
【背景技術】
【０００２】
ストロボを用いて撮影を行う場合、カメラ側からの操作によって、撮影前にストロボからモデリング光を照射し、被写体の照明状態を確認するものが提案されている（特許文献１）。この提案では、カメラのプレビュー操作部材を操作することによって、レンズの絞り込みによる深度確認と同時にストロボのモデリング発光を行っている。
【特許文献１】特開平１１−１４９１０９号公報
【発明の開示】
【発明が解決しようとする課題】
【０００３】
ところで、ストロボの光源には一般的にキセノン管が用いられるが、近年では白色ＬＥＤを用いたものも存在する。キセノン管を光電に用いたストロボは、一定光量を継続して発光させることが難しく、長時間連続のモデリング発光には不利である。一方、ＬＥＤを光源に用いたストロボは、長時間連続のモデリング発光には有利である。
【０００４】
しかし、上記特許文献１では、ストロボの光源にキセノン管を用いているかＬＥＤを用いているかに関係なく、撮影者がプレビュー操作部材を操作している間のみ、プレビュー機能とストロボのモデリング発光とが行われる。従って、ＬＥＤを光源として用いたストロボで長時間のモデリング発光を行う場合には、プレビュー操作部材を操作し続けなければならず、プレビュー操作部材の操作性に難点がある。
【０００５】
そこで、本発明は、モデリング発光させるための操作部材の操作方法を照明装置の光源の種類に応じて切り換えることで、モデリング発光させるための操作部材の操作性を高めることができる撮像装置及び撮像装置の制御方法を提供することを目的とする。
【課題を解決するための手段】
【０００６】
上記目的を達成するために、本発明の撮像装置は、照明装置が着脱可能に装着される撮像装置において、前記照明装置が装着された際に、該照明装置の光源の種類を検知する検知手段と、前記照明装置をモデリング発光させるための操作部材の操作方法を前記検知手段で検知された前記光源の種類に応じた操作方法に切り換える制御手段と、を備えることを特徴とする。
【０００７】
本発明の撮像装置の制御方法は、照明装置が着脱可能に装着される撮像装置の制御方法において、前記照明装置が装着された際に、該照明装置の光源の種類を検知する検知ステップと、前記照明装置をモデリング発光させるための操作部材の操作方法を前記検知ステップで検知された前記光源の種類に応じた操作方法に切り換える制御ステップと、を備えることを特徴とする。
【発明の効果】
【０００８】
本発明によれば、モデリング発光させるための操作部材の操作方法を照明装置の光源の種類に応じて切り換えることができるので、モデリング発光させるための操作部材の操作性を高めることができ、安定したモデリング発光を行うことが可能となる。
【発明を実施するための最良の形態】
【０００９】
以下、本発明の実施形態を図面を参照して説明する。
【００１０】
（第１の実施形態）
図１は本発明の撮像装置の第１の実施形態である一眼レフタイプのデジタルカメラ（以下、カメラという）のカメラ本体を示す正面斜視図、図２は図１に示すカメラ本体の背面斜視図である。
【００１１】
本実施形態のカメラは、図１に示すように、カメラ本体１の正面側に配置されたレンズマウント部２に、撮影レンズユニット２００（図３参照）が着脱自在に装着される。レンズマウント部２には、マウント接点２１が配置されている。
【００１２】
マウント接点２１は、撮影レンズユニット２００との間で通信を行うと共に、撮影レンズユニット２００へ電力を供給するための接点である。レンズマウント部２の側部には、レンズロック解除ボタン４が配置されており、このレンズロック解除ボタン４を押し込むことで、レンズマウント部２から撮影レンズユニット２００を取り外すことができる。
【００１３】
また、カメラ本体１内には、撮影レンズユニット２００を通過した撮影光束が導かれるミラーボックス５が配置されており、ミラーボックス５の内部には、メインミラー（クイックリターンミラー）６が配設されている。
【００１４】
カメラ本体１のグリップ１ａの上部には、撮影開始の起動スイッチとしてのシャッターボタン７と、撮影時の動作モードに応じてシャッタースピードやレンズ絞り値を設定するためのメイン操作ダイヤル８とが配置されている。また、カメラ本体１の上部には、撮影系の動作モードを設定するための動作モード設定ボタン１０が配置されている。これらの操作部材７，８，１０の操作結果の一部は、図１においてカメラ本体１の上部左側に配置されたＬＣＤ表示パネル９に表示される。
【００１５】
シャッターボタン７は、第１ストローク（半押し）でＳＷ１（７ａ）（図４参照）がオンし、第２ストローク（全押し）でＳＷ２（７ｂ）（図４参照）がオンする構成となっている。
【００１６】
動作モード設定ボタン１０は、シャッターボタン７の１回の押し込みで連写になるか１コマのみの撮影となるかの設定や、セルフ撮影モードの設定などを行うものであり、ＬＣＤ表示パネル９にその設定状況が表示される。
【００１７】
カメラ本体１の上部中央には、外付ストロボ４４を着脱可能とするアクシュー１２が配置され、アクシュー１２には外付ストロボ４４と通信を行うためのストロボ接点１３が設けられている。また、カメラ本体１の図１において上部右寄りには、撮影モード設定ダイヤル１４が配置されている。
【００１８】
図２において、カメラ本体１の背面側には、光軸の上方にファインダー接眼窓１８が設けられており、更にファインダー接眼窓１８の下側には、画像表示可能なカラー液晶表示部１９が設けられている。
【００１９】
カラー液晶表示部１９の側部には、サブ操作ダイヤル２０が配置されている。サブ操作ダイヤル２０は、メイン操作ダイヤル８の機能を補助する役割を担っており、例えばカメラのＡＥモードでは自動露出装置により算出された適正露出値に対する露出補正量を設定するために使用される。
【００２０】
また、カメラ本体１の背面側には、メインスイッチ４３は、ライブビュー操作部材４５、及び絞り込み操作部材４６が配置されている。メインスイッチ４３は、カメラの動作を起動もしくは停止するためのスイッチである。ライブビュー操作部材４５は、後述するライブビューモードを動作させるためのものである。絞り込み操作部材４６は、押下することで撮影レンズ２００ａ（図４参照）が絞り込まれ、被写体の深度確認が行える状態となる。
【００２１】
図３は、図１に示すカメラ本体１に撮影レンズユニット２００と外付ストロボ４４を装着した状態を示す正面斜視図である。
【００２２】
図３において、外付ストロボ４４は、いわゆるリングタイプの接写用ストロボであり、光源５１を有する発光部４８と、制御部４９とを備える。制御部４９は、不図示の接続部がカメラ本体１のアクシュー１２に取り付けられ、発光部４８は、撮影レンズユニット２００の先端に取り付けられる。発光部４８と制御部４９とは、カールコード５０を介して互いに接続される。
【００２３】
図４は、本実施形態のカメラの内部構成について説明するためのブロック図である。
【００２４】
図４において、中央演算処理装置（以下、ＭＰＵという）１００は、マイクロコンピュータであり、カメラの各構成要素に対して様々な処理の実行を指示して、カメラの動作を制御する。ＭＰＵ１００に内蔵されるＥＥＰＲＯＭ１００ａは、撮影に関する各種設定値やカメラの動作に必要なパラメータなどを記憶する。
【００２５】
ＭＰＵ１００には、ミラー駆動部１０１、焦点検知回路１０２、シャッター駆動部１０３、映像信号処理回路１０４、スイッチセンス回路１０５、測光回路１０６、ＬＣＤ駆動回路１０７、バッテリーチェック回路１０８、電源供給回路１１０が接続されている。これらの要素（ユニット）は、ＭＰＵ１００の制御により動作する。
【００２６】
また、ＭＰＵ１００は、マウント接点２１を介して撮影レンズユニット２００に配置されたレンズ制御回路２０１と通信を行う。これにより、レンズ制御回路２０１は、ＭＰＵ１００との間で通信を行い、撮影レンズユニット２００の撮影レンズ２００ａ及び絞り２０４の駆動をＡＦ駆動部２０２及び絞り駆動部２０３を介して行うことが可能となる。
【００２７】
撮影レンズ２００ａの後方には、ミラー駆動部１０１により被写体の観察状態と被写体の撮影状態との間で揺動するメインミラー６およびサブミラー３０が配置される。ミラー駆動部１０１は、例えばＤＣモータとギヤトレインなどから構成され、ＭＰＵ１００によって制御される。
【００２８】
被写体の観察状態においては、メインミラー６とサブミラー３０は、撮影レンズ２００ａから射出された被写体の光束中に配置され、メインミラー６は、被写体光束のほとんどを上方へ折り返しピント板１１上に被写体像を結像させる。ピント板１１上の被写体像は、被写体像を正立正像に変換反射させるペンタプリズム２２と接眼レンズ１８を介して撮影者により観察される（光学ファインダー）。ペンタプリズム２２を透過した一部の光は、測光センサ３７へ導かれる。
【００２９】
また、メインミラー６は、被写体光束の一部を透過させ、透過した光をサブミラー３０を介して焦点検知センサユニット３１へと導く。焦点検知センサユニット３１は、撮像素子３３の予定結像面とほぼ同等な位置に配置されたフィールドレンズ、反射ミラー、２次結像レンズ、絞り、２次結像レンズの予定焦点面近傍に配置されたラインセンサなどから構成されている。ラインセンサ上に再結像された被写体像は、電気的な画像信号に変換されて焦点検知回路１０２に出力される。
【００３０】
焦点検知回路１０２は、ＭＰＵ１００の指示に従い、焦点検知センサユニット３１の蓄積制御と読み出し制御を行って、画素情報をＭＰＵ１００へ出力する。ＭＰＵ１００は、焦点検知回路１０２からの画像信号に基づいて、位相差検知法による焦点検知演算を行い、撮影レンズ２００ａによる結像面と予定結像面との差及び方向、即ちデフォーカス量及びデフォーカス方向を算出する。
【００３１】
ＭＰＵ１００は、算出したデフォーカス量及びデフォーカス方向に基づいて、レンズ制御回路２０１、ＡＦ駆動部２０２を介して、撮影レンズ２００ａ内のフォーカスレンズを合焦位置まで移動させる。
【００３２】
一方、被写体の撮影状態においては、メインミラー６およびサブミラー３０は、撮影レンズ２００ａから射出される被写体光束の光路外へ退避し、被写体光束を撮影素子３３の方向へ入射させる。
【００３３】
シャッター３２は、撮像素子３３への光路に対して進退する遮蔽部材を有するフォーカルプレーンシャッター等からなり、ファインダー観察時には被写体の光束を遮る。具体的には、シャッター３２は、撮像時にはレリーズ信号に応じて、被写体光束の光路から待避して露光を開始させる先羽根群と、先羽根群の走行開始後所定のタイミングで被写体光束を遮光する後羽根群とを有する。シャッター３２は、ＭＰＵ１００の指令を受けたシャッター駆動部１０３によって駆動される。撮像素子３３には、２次元型撮像デバイスであるＣＭＯＳセンサなどが用いられる。
【００３４】
映像信号処理回路１０４は、不図示のＡ／Ｄ変換器によってデジタル化された撮像素子３３からの画像データに対してガンマ／ニー処理、フィルタ処理、モニタ表示用の情報合成処理など、ハードウエアによる画像処理全般を実行する。
【００３５】
映像信号処理回路１０４から出力されたモニタ表示用の画像データは、カラー液晶駆動回路１１２を介してカラー液晶表示部１９に表示される。映像信号処理回路１０４は、必要に応じて撮像素子３３の出力信号のホワイトバランス情報をＭＰＵ１００に出力可能であり、その情報を基にＭＰＵ１００はホワイトバランス調整やゲイン調整を行う。
【００３６】
また、映像信号処理回路１０４は、ＪＰＥＧなどの圧縮処理を行う機能も有している。連写の場合は一旦、バッファメモリ３７に画像データを格納し、処理時間がかかる場合にメモリコントローラ３８を通して未処理の画像データを読み出し、映像信号処理回路１０４で画像処理や圧縮処理を行い、連写スピードを上げることもできる。
【００３７】
メモリコントローラ３８では、映像信号処理回路１０４から入力された未処理のデジタル画像データをバッファメモリ３７に格納する。そして、処理済みのデジタル画像データをメモリ３９に格納し、あるいはその逆にバッファメモリ３７やメモリ３９から画像データを映像信号処理回路１０４に出力する。
【００３８】
スイッチセンス回路１０５は、各スイッチの操作状態に応じて各部を制御する。スイッチＳＷ１（７ａ）は、シャッターボタン７の第１ストローク（半押し）によりオンする。スイッチＳＷ２（７ｂ）は、シャッターボタン７の第２ストローク（全押し）によりオンする。スイッチＳＷ２（７ｂ）がオンされると、撮影動作が開始される。
【００３９】
また、スイッチセンス回路１０５には、メイン操作ダイヤル８、サブ操作ダイヤル２０、撮影モード設定ダイヤル１４、メインスイッチ（ＳＷ）４３、ライブビュー操作部材４５、絞り込み操作部材４６が接続されている。スイッチセンス回路１０５は、各スイッチの状態をＭＰＵ１００へ送信する。
【００４０】
尚、スイッチセンス回路１０５とメインスイッチ４３とＭＰＵ１００とから電源スイッチが構成され、また、電源スイッチがオンされたことが検知されると、電源４２からカメラ本体１へ給電が開始される。
【００４１】
測光回路１０６は、画面内の各エリアの輝度信号として、測光センサ３７からの出力をＭＰＵ１００に出力する。ＭＰＵ１００は、輝度信号をＡ／Ｄ変換し、撮影の露出量を算出する。
【００４２】
ＬＣＤ駆動回路１０７は、ＭＰＵ１００の表示内容命令に従って、ＬＣＤ表示パネル９やファインダー内液晶表示器４１を駆動する。また、ＬＣＤ駆動回路１０７は、ＭＰＵ１００の指示により特定のセグメントを点滅表示状態にすることが可能である。
【００４３】
バッテリーチェック回路１０８は、ＭＰＵ１００からの信号に従って所定時間バッテリーチェックを行い、その検知出力をＭＰＵ１００へ送る。電源４２は、各ＩＣ（集積回路）や駆動系に必要な電力を供給する。
【００４４】
図５は、本実施形態のカメラの動作例を説明するためのフローチャート図である。なお、図５での各処理は、ＲＯＭ等に記憶されたプログラムがＲＡＭにロードされて、ＭＰＵ１００により実行される。
【００４５】
図５において、ステップＳ１００では、ＭＰＵ１００は、撮影者による絞り込み操作部材４６の押下を検知すると、ステップＳ１０１に進む。
【００４６】
ステップＳ１０１では、ＭＰＵ１００は、外付ストロボ４４と通信を試みて、外付ストロボ４４がカメラ本体１に取り付けられているかどうかを検知し、取り付けられている場合は、ステップＳ１０２に進み、取り付けられていない場合は、ステップＳ１０９に進む。
【００４７】
ステップＳ１０９では、ＭＰＵ１００は、レンズ制御回路２０１を制御して、被写体深度の確認が行えるように撮影レンズ２００ａの絞り込みを開始し、ステップＳ１１０に進む。
【００４８】
ステップＳ１１０では、ＭＰＵ１００は、絞り込み操作部材４６の押下が解除されているかどうかを検知する。そして、ＭＰＵ１００は、絞り込み操作部材４６の押下が解除されていない場合には、一定時間後に再度ステップＳ１１０を実行し、絞り込み操作部材４６の押下が解除されている場合は、ステップＳ１１１に進む。
【００４９】
ステップＳ１１１では、ＭＰＵ１００は、レンズ制御回路２０１を制御して撮影レンズ２００ａの絞り込み動作を停止し、絞り２０４を開放状態に戻してスタンバイ状態に復帰する（ステップＳ１１２）。
【００５０】
一方、ステップＳ１０１で外付ストロボ４４が取り付けられている場合は、ステップＳ１０２において、ＭＰＵ１００は、外付ストロボ４４と通信を行い、外付ストロボ４４の光源にキセノン管を用いているかＬＥＤを用いているかを検知する。そして、ＭＰＵ１００は、外付ストロボ４４の光源にＬＥＤが用いられている場合には、ステップＳ１０３へ進み、外付ストロボ４４の光源にキセノン管が用いられている場合には、ステップＳ１０６へ進む。
【００５１】
ステップＳ１０６では、ＭＰＵ１００は、レンズ制御回路２０１を制御して、被写体深度の確認が行えるように、撮影レンズ２００ａの絞り込みを開始する。同時に、ＭＰＵ１００は、被写体の照明状態の確認が行えるように、キセノン管を用いた外付ストロボ４４の光源５１の連続的なモデリング発光を開始し、ステップＳ１０７に進む。
【００５２】
ステップＳ１０７では、ＭＰＵ１００は、絞り込み操作部材４６の押下が解除されているかどうかを検知する。そして、ＭＰＵ１００は、絞り込み操作部材４６の押下が解除されていない場合には、一定時間後に再度ステップＳ１０７を実行し、絞り込み操作部材４６の押下が解除されている場合は、ステップＳ１０８に進む。
【００５３】
ステップＳ１０８では、ＭＰＵ１００は、レンズ制御回路２０１を制御して撮影レンズ２００ａの絞り込み動作を停止し、絞り２０４を開放状態に戻す。また、ＭＰＵ１００は、キセノン管を用いた外付ストロボ４４の光源５１のモデリング発光を停止し、スタンバイ状態に復帰する（ステップＳ１１２）。
【００５４】
一方、ステップＳ１０３では、ＭＰＵ１００は、レンズ制御回路２０１を制御して、被写体深度の確認が行えるように、撮影レンズ２００ａの絞り込みを開始する。同時に、ＭＰＵ１００は、被写体の照明状態の確認が行えるように、ＬＥＤを用いた外付ストロボ４４の光源５１の連続的なモデリング発光を開始し、ステップＳ１０４に進む。
【００５５】
ステップＳ１０４では、ＭＰＵ１００は、絞り込み操作部材４６が再押下されたかどうかを検知する。そして、ＭＰＵ１００は、絞り込み操作部材４６が再押下されていない場合には、一定時間後に再度ステップＳ１０４を実行し、絞り込み操作部材４６が再押下された場合は、ステップＳ１０５に進む。
【００５６】
ステップＳ１０５では、ＭＰＵ１００は、レンズ制御回路２０１を制御して撮影レンズ２００ａの絞り込み動作を停止し、絞り２０４を開放状態に戻す。また、ＭＰＵ１００は、ＬＥＤを用いた外付ストロボ４４の光源５１のモデリング発光を停止し、スタンバイ状態に復帰する（ステップＳ１１２）。
【００５７】
以上説明したように、本実施形態では、外付ストロボ４４の光源５１にキセノン管を用いているかＬＥＤを用いているかを自動的に検知し、検知された光源の種類に応じて絞り込み操作部材４６の操作方法が切り換わるようになっている。
【００５８】
すなわち、外付ストロボ４４の光源５１がキセノン管であれば、撮影者が絞り込み操作部材４６を押下後に手を離すと、絞り込み操作部材４６が再度押下されるまで撮影レンズ２００ａのプレビュー機能と外付ストロボ４４のモデリング発光が停止される。
【００５９】
一方、外付ストロボ４４の光源５１がＬＥＤであれば、撮影者が絞り込み操作部材４６を押下後に手を離しても絞り込み操作部材４６を再度押下するまで撮影レンズ２００ａのプレビュー機能と外付ストロボ４４のモデリング発光を継続する。これにより、長時間連続のモデリング発光に有利なＬＥＤが光源５１の場合は、絞り込み操作部材４６を押し続けなくでも、安定したモデリング発光を行うことが可能となる。
【００６０】
（第２の実施形態）
次に、図６を参照して、本発明の撮像装置の第２の実施形態である一眼レフタイプのデジタルカメラ（以下、カメラという）について説明する。なお、カメラの装置構成については、上記第１の実施形態と同様であるので、図及び符号を流用して説明する。
【００６１】
本実施形態では、ライブビュー機能を用いて撮影を行うカメラを例に採る。ライブビュー機能を用いて撮影を行う場合には、図４を参照して、メインミラー６及びサブミラー３０は、ミラー駆動部１０１により被写体光束の光路から退避される。また、シャッター駆動部１０３により、シャッターの先羽根群は、アパーチャを覆う位置から退避した位置へと移動する。これにより、シャッター３２をバルブ状態として、撮影レンズ２００ａを通過した光を常に撮影素子３３に取り込める状態になる。
【００６２】
撮影レンズ２００ａを通過して撮像素子３３に結像した被写体像は、撮像素子３３により光電変換される。撮像素子３３で生成された被写体の画像データは、映像信号処理回路１０４により処理され、カラー液晶駆動回路１１２を介してカメラ本体１の背面部のカラー液晶表示部１９に連続表示される。撮影者は、光学ファインダーの代わりに、このカラー液晶表示部１９に表示される被写体像を確認することが可能である。
【００６３】
図６は、本実施形態のカメラの動作例を説明するためのフローチャート図である。なお、図６での各処理は、ＲＯＭ等に記憶されたプログラムがＲＡＭにロードされて、ＭＰＵ１００により実行される。
【００６４】
図６において、ステップＳ２００では、ＭＰＵ１００は、撮影者によるライブビュー操作部材４５の押下を検知すると、ステップＳ２０１に進む。
【００６５】
ステップＳ２０１では、ＭＰＵ１００は、ライブビュー機能の起動を開始し、ステップＳ２０２に進む。このとき、撮影者は、カラー液晶表示部１９に表示される被写体像を確認することができる。
【００６６】
ステップＳ２０２では、ＭＰＵ１００は、外付ストロボ４４と通信を試みて、外付ストロボ４４がカメラ本体１に取り付けられているかどうかを検知し、取り付けられている場合は、ステップＳ２０３に進み、取り付けられていない場合は、ステップＳ２１０に進む。
【００６７】
ステップＳ２０３では、ＭＰＵ１００は、外付ストロボ４４と通信を行い、外付ストロボ４４の光源５１にキセノン管を用いているかＬＥＤを用いているかを検知する。そして、ＭＰＵ１００は、外付ストロボ４４の光源５１にＬＥＤが用いられている場合には、ステップＳ２０４へ進み、外付ストロボ４４の光源５１にキセノン管が用いられている場合には、ステップＳ２１０へ進む。
【００６８】
ステップ２１０では、ＭＰＵ１００は、撮影者によりライブビュー操作部材４５が再押下されたかどうかを検知し、再押下された場合は、ステップＳ２１１に進み、再押下されていない場合は、ステップＳ２１２に進む。
【００６９】
ステップＳ２１１では、ＭＰＵ１００は、ライブビュー動作を停止し、スタンバイ状態に復帰する（ステップＳ２１５）。
【００７０】
ステップＳ２１２では、ＭＰＵ１００は、撮影者によりシャッターボタン７が押下されてかどうかを検知し、押下された場合は、ステップＳ２１３に進み、押下されていない場合は、一定時間後にステップＳ２１２を再度実行する。
【００７１】
ステップＳ２１３では、ＭＰＵ１００は、ライブビュー動作を停止し、ステップＳ２１４に進む。
【００７２】
ステップＳ２１４では、ＭＰＵ１００は、撮影動作を開始し、撮影終了後、スタンバイ状態に復帰する（ステップＳ２１５）。なお、ステップＳ２１４の撮影動作では、撮影者は光学ファインダーにより被写体像を観察しながら撮影を行うことができる。
【００７３】
一方、ステップＳ２０４では、ＭＰＵ１００は、レンズ制御回路２００を制御して、被写体深度の確認が行えるよう、撮影レンズ２００ａの絞り込み開始する。同時に、ＭＰＵ１００は、被写体の照明状態の確認が行えるよう、ＬＥＤを用いた光源５１の連続的なモデリング発光を開始し、ステップＳ２０５に進む。
【００７４】
ステップＳ２０５では、ＭＰＵ１００は、撮影者によりライブビュー操作部材４５が再押下されたかどうかを検知し、再押下された場には、ステップＳ２０６へ進み、再押下されていない場合は、ステップＳ２０７へ進む。
【００７５】
ステップＳ２０６では、ＭＰＵ１００は、レンズ制御回路２０１を制御して撮影レンズ２００ａの絞り込み動作を停止し、絞り２０４を開放状態に戻す。また、ＭＰＵ１００は、ＬＥＤを用いた外付ストロボ４４の光源５１のモデリング発光を停止して、ステップＳ２１１に進み、ライブビュー動作を停止して、スタンバイ状態に復帰する（ステップＳ２１５）。
【００７６】
一方、ステップＳ２０７では、ＭＰＵ１００は、撮影者によりシャッターボタン７が押下されたかどうかを検知し、押下された場合は、ステップＳ２０８に進み、押下されない場合は、一定時間後にステップＳ２０７を再度実行する。
【００７７】
ステップＳ２０８では、ＭＰＵ１００は、レンズ制御回路２０１を制御して撮影レンズ２００ａの絞り込み動作を停止し、絞り２０４を開放状態に戻す。また、ＭＰＵ１００は、ＬＥＤを用いた外付ストロボ４４の光源５１のモデリング発光を停止するとともに、ライブビュー動作を停止し、ステップＳ２０９に進む。
【００７８】
ステップＳ２０９では、ＭＰＵ１００は、撮影動作を開始し、撮影終了後、スタンバイ状態に復帰する（ステップＳ２１５）。なお、ステップＳ２０９の撮影動作では、撮影者は光学ファインダーにより被写体像を観察しながら撮影を行うことができる。
【００７９】
以上説明したように、本実施形態では、外付ストロボ４４の光源５１にキセノン管を用いているかＬＥＤを用いているかを自動的に検知し、検知された光源の種類に応じてライブビュー操作部材４５の操作方法が切り換わるようになっている。すなわち、撮影者がライブビュー操作部材４５を押下後に手を離してもライブビュー操作部材４５を再度押下するまで撮影レンズ２００ａのプレビュー機能と外付ストロボ４４のモデリング発光を継続する。これにより、長時間発光できるＬＥＤの利点を活かして、ライブビュー動作中にモデリング発光を自動的に継続することができ、実際に撮影される照明条件と等しい被写体の観察を行うことが可能となる。
【００８０】
なお、本発明は、上記各実施形態に例示したものに限定されるものではなく、本発明の要旨を逸脱しない範囲において適宜変更可能である。
【００８１】
上記各実施形態では、カメラ本体に撮影レンズユニットが着脱可能なデジタルカメラを例示したが、これに限定されず、撮影レンズユニットが一体のデジタルカメラ等に本発明を適用してもよい。
【図面の簡単な説明】
【００８２】
【図１】本発明の撮像装置の第１の実施形態である一眼レフタイプのデジタルカメラのカメラ本体を示す正面斜視図である。
【図２】図１に示すカメラ本体の背面斜視図である。
【図３】図１に示すカメラ本体に撮影レンズユニットと外付ストロボを装着した状態を示す正面斜視図である。
【図４】本発明の撮像装置の第１の実施形態であるデジタルカメラの内部構成について説明するためのブロック図である。
【図５】本発明の撮像装置の第１の実施形態であるデジタルカメラの動作例を説明するためのフローチャート図である。
【図６】本発明の撮像装置の第２の実施形態であるデジタルカメラの動作例を説明するためのフローチャート図である。
【符号の説明】
【００８３】
１  カメラ本体
１ａ  グリップ部
２  レンズマウント部
４  レンズロック解除ボタン
５  ミラーボックス
６  メインミラー
７  シャッターボタン
８  メイン操作ダイヤル
９  ＬＣＤ表示パネル
１０  動作モード設定ボタン
１１  ピント板
１２  アクシュー
１３  ストロボ接点
１４  撮影モード設定ダイヤル
１８  ファインダー接眼窓
１９  カラー液晶表示部
２０  サブ操作ダイヤル
２１  マウント接点
３２  シャッター
３３  撮像素子
４４  外付ストロボ
４５  レイブビュー操作部材
４６  絞り込み操作部材
５１  光源
１００  ＭＰＵ
１０３  シャッター駆動部
１１２  カラー液晶駆動回路
２００  撮影レンズユニット
２００ａ  撮影レンズ
２０１  レンズ制御回路
２０４  絞り
【図１】
2009300668.tif 000003
【図２】
2009300668.tif 000004
【図３】
2009300668.tif 000005
【図４】
2009300668.tif 000006
【図５】
2009300668.tif 000007
【図６】
2009300668.tif 000008